(57)【要約】【課題】組立作業性の良い電気接続箱を提供する。【解決手段】電気接続箱１は、電気部品が装着される箱本体２と、箱本体２覆うロアカバー３と、ロアカバー３側から箱本体２の奥壁２ｃに設けられた端子取付部９に取り付けられる端子金具５とを備えている。この箱本体２には、箱本体２のロアカバー３寄りの縁２４から端子取付部９に向かって延びた第１のガイド部２３が形成されているとともに、ロアカバー３には、第１のガイド部２３から連続し、かつ、ロアカバー３の箱本体２寄りの縁３４から端子取付部９と離れる方向に延びた第２のガイド部３３が形成されている。そして、第１のガイド部２３の幅Ｈ１は、第２のガイド部３３の幅Ｈ２より狭く形成されている。これら第１のガイド部２３及び第２のガイド部３３は、端子金具５をロアカバー３側から端子取付部９に亘って案内する。【選択図】図４
2006320132.tif 000002
【特許請求の範囲】
【請求項１】
表面に電気部品が装着される装着部を設けた箱本体と、前記箱本体の前記装着部と反対側を覆うカバー部材と、前記箱本体の外壁に沿って前記カバー部材から前記箱本体に向かう方向に移動されて前記箱本体に設けられた端子取付部に取り付けられる端子金具と、を備えた電気接続箱であって、
前記箱本体に設けられるとともに、前記箱本体の前記カバー部材寄りの縁から前記端子取付部に向かって延びているとともに、前記端子金具を前記端子取付部に案内する第１のガイド部と、
前記カバー部材に設けられるとともに、該第１のガイド部から連続し、かつ、前記カバー部材の前記箱本体寄りの縁から前記端子取付部と離れる方向に延びているとともに、前記端子金具を前記第１のガイド部に案内する第２のガイド部と、を備えた
ことを特徴とする電気接続箱。
【請求項２】
前記第１のガイド部と前記第２のガイド部とのうち少なくとも一方に、前記第２のガイド部から前記第１のガイド部に向かうにしたがって徐々に幅が狭くなる傾斜部を設けた
ことを特徴とする請求項１に記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ（例えば特許文献１参照）。
【０００５】
電気接続箱は、外郭を形成する箱本体と、箱本体に取り付けられるカバー部材と、電源側と接続した電線の端部に取り付けられた端子金具などを備えている。箱本体の上面には、前述したリレー、ヒューズやヒュージブルリンクなどの電気部品が装着される装着部が複数設けられている。また、箱本体の下面には、前述した自動車に配索されるワイヤハーネスのコネクタが嵌合する。さらに、箱本体は、前述した電気部品とワイヤハーネスなどの端子金具とを予め定められたパターンにしたがって接続するバスバなどを収容している。カバー部材は、箱本体に取り付けられると、前述したワイヤハーネスのコネクタなどを覆う。
【０００６】
端子金具は、導電性の板金からなり、平板状の電気接触部と、電気接触部に連なった電線接続部とを備えている。電気接触部には、ボルトのねじ部を通すことのできる孔又は切欠きが設けられている。電気接触部は、孔又は切欠き内にねじ部が通った状態のボルトが箱本体にねじ込まれるなどして、箱本体に取り付けられるとともに、箱本体に収容されたバスバと電気的に接続する。電線接続部は、電源側と接続した電線をかしめるかしめ片などを備えている。電線接続部は、かしめ片で電線をかしめて、該電線の芯線と接続する。
【０００７】
このように、電気接続箱は、電源から電線及び端子金具を介して供給される電力を、箱本体に収容されたバスバ、ヒュージブルリンク、ワイヤハーネスの電線などを介して前述したヘッドランプ等の電子機器に供給する。
【０００８】
特許文献１の電気接続箱１０１は、図６及び図７に示すように、上面１０２ａにヒュージブルリンク１０８などの電気部品が装着される箱本体１０２と、箱本体１０２内に収容されかつバスバ１１２などを有した図示しない配線盤と、箱本体１０２の下面１０２ｂ側を覆うロアカバー１０３と、電源側と接続した電線１０４の端部に取り付けられた端子金具１０５などを備えている。
【０００９】
箱本体１０２の側面には、端子金具１０５が取り付けられる端子取付部１０９が設けられている。この端子取付部１０９は、外部荷重からの保護や防水性を考慮する上で、外壁によって覆われた構造となっている。
【００１０】
ロアカバー１０３には、ロアカバー１０３の外部と内部を連通した端子挿入口１１３が設けられている。端子金具１０５は、端子挿入口１１３からロアカバー１０３内に挿入される。また、ロアカバー１０３の内側には、端子挿入口１１３から端子取付部１０９に向かって延びたガイド部１１４が設けられている。ガイド部１１４は、前述した端子取付部１０９とほぼ同一面となる底壁１１４ａと、この底壁１１４ａの両側縁から立設した側壁１１４ｂ，１１４ｂとから構成されている。このようなガイド部１１４は、図７に示すように、端子挿入口１１３から挿入された端子金具１０５を、底壁１１４ａに沿わせつつ、端子取付部１０９に向かって案内する。
【００１１】
さらに、箱本体１０２の端子取付部１０９付近には、位置決め部１１５が設けられている。この位置決め部１１５は、端子金具１０５の先端が当接する当て面１１５ａと、この当て面１１５ａが当接した状態の端子金具１０５の両側方に形成された側面１１５ｂ，１１５ｂとを備えている。ガイド部１１４に案内されながら位置決め部１１５まで達した端子金具１０５は、側面１１５ｂ，１１５ｂにガイドされて先端が当て面１１５ａに当接し、端子取付部１０９に位置決めされる。
【００１２】
端子取付部１０９に位置決めされた端子金具１０５は、端子取付部１０９の表面をなすバスバ１１２と重ねられて該バスバ１１２と電気的に接続する。また、該バスバ１１２は、ヒュージブルリンク１０８の端子部１０８ａ及び図示しない各種電気部品と接続して、端子金具１０５から供給される電力をこれらに伝える。さらに、端子金具１０５は、箱本体１０２の側方から挿入されるボルト１１０が、箱本体１０２内に埋設されたナット１１１と螺合することにより、端子取付部１０９に固定される。
【００１３】
前述した電気接続箱１０１は、以下のように組み立てられる。まず、箱本体１０２内にバスバ１１２などが配索された配線盤が収容されて、箱本体１０２の上面１０２ａにヒュージブルリンク１０８などの電気部品が装着される。そして、箱本体１０２の下面１０２ｂ側にワイヤハーネスのコネクタが嵌合されるとともに、ロアカバー１０３が取り付けられる。その後、端子挿入口１１３から、電線１０４が取り付けられた状態の端子金具１０５が挿入されるとともに、ガイド部１１４に案内された端子金具１０５が端子取付部１０９に重ねられる。そして、ボルト１１０により端子金具１０５が端子取付部１０９に固定されて、電気接続箱１０１が組み立てられる。
【特許文献１】特開平９−１５４２１８号公報
【発明の開示】
【発明が解決しようとする課題】
【００１４】
しかしながら、特許文献１に示された電気接続箱１０１は、ロアカバー１０３側に設けられたガイド部１１４と、箱本体１０２側に設けられた位置決め部１１５とが間隔をあけている。このため、ガイド部１１４と位置決め部１１５との間に端子金具１０５を通す作業を、手探りで行うことになるため、作業効率が良くないという問題があった。
【００１５】
本発明は、特許文献１に示された電気接続箱を改良するものであり、端子金具の電気接続箱への取り付け作業において、更なる作業性向上を図ることができる電気接続箱を提供することをその目的とする。
【課題を解決するための手段】
【００１６】
前記課題を解決し目的を達成するために、請求項１に記載の電気接続箱は、表面に電気部品が装着される装着部を設けた箱本体と、前記箱本体の前記装着部と反対側を覆うカバー部材と、前記箱本体の外壁に沿って前記カバー部材から前記箱本体に向かう方向に移動されて前記箱本体に設けられた端子取付部に取り付けられる端子金具と、を備えた電気接続箱であって、前記箱本体に設けられるとともに、前記箱本体の前記カバー部材寄りの縁から前記端子取付部に向かって延びているとともに、前記端子金具を前記端子取付部に案内する第１のガイド部と、前記カバー部材に設けられるとともに、該第１のガイド部から連続し、かつ、前記カバー部材の前記箱本体寄りの縁から前記端子取付部と離れる方向に延びているとともに、前記端子金具を前記第１のガイド部に案内する第２のガイド部と、を備えたことを特徴としている。
【００１７】
請求項２に記載の電気接続箱は、請求項１に記載の電気接続箱において、前記第１のガイド部と前記第２のガイド部とのうち少なくとも一方に、前記第２のガイド部から前記第１のガイド部に向かうにしたがって徐々に幅が狭くなる傾斜部を設けたことを特徴としている。
【発明の効果】
【００１８】
請求項１に記載の電気接続箱は、カバー部材側から箱本体の端子取付部に亘って第２のガイド部と第１のガイド部とが連続して形成されているので、端子金具を端子取付部に確実に位置決めすることができる。よって、電気接続箱の組立作業性を向上させることができる。
【００１９】
請求項２に記載の電気接続箱は、第１のガイド部及び第２のガイド部の幅が、カバー部材側から端子取付部に向かうにしたがって徐々に狭くなるように形成されているので、端子金具を容易に挿入方向奥側の端子取付部まで挿入することができる。よって、電気接続箱の組立作業性をさらに向上させることができる。
【発明を実施するための最良の形態】
【００２０】
以下、本発明の一実施形態にかかる電気接続箱を、図１ないし図５に基づいて説明する。本実施形態にかかる図１に示す電気接続箱１は、移動体としての自動車に搭載されるとともに、電源側と負荷側との間に配置される。
【００２１】
電気接続箱１は、図１及び図２に示すように、箱本体２と、図示しない配線盤と、カバー部材としてのロアカバー３と、箱本体２に設けられた端子取付部９と、該端子取付部９に取り付けられる端子金具５、などを備えている。
【００２２】
箱本体２は、絶縁性の合成樹脂からなり、周知の射出成形により成形される。箱本体２は、複数の外壁２１により、筒状（箱状）に形成されている。箱本体２の図１の上側に位置する上面２ａには、リレー６、ヒューズ７、ヒュージブルリンク８などの電気部品が装着される装着部６ａ，７ａ，８ａが複数設けられている。また、箱本体２の上面２ａの裏側に位置する下面２ｂには、自動車に配索されるワイヤハーネスのコネクタが嵌合する。
【００２３】
箱本体２の図１の手前側に位置する外壁２１の内側には、該外壁２１と連なった奥壁２ｃ（図３に示す）が形成されている。奥壁２ｃは、前述した上面２ａと下面２ｂとが互いに相対する方向に沿って、ロアカバー３寄りの縁２４から上面２ａに向かって延びている。この奥壁２ｃには、後述する端子取付部９が設けられている。
【００２４】
配線盤は、導電性のバスバ１２と、絶縁板などを備えている。バスバ１２は、導電性の板金に打ち抜き加工などのプレス加工が施されて得られる。複数のバスバ１２は、互いに重ねられている。絶縁板は、互いに重ねられたバスバ１２間などに配され、バスバ１２同士が意図しない箇所で相互に電気的に接続すること即ち短絡することを防止するとともに、バスバ１２を位置決めしている。
【００２５】
配線盤は、箱本体２に収容されると、リレー６、ヒューズ７、ヒュージブルリンク８、などの箱本体２に装着された電気部品と、電気接続箱１の外部側と接続したワイヤハーネス（電線）の端子金具と、端子取付部９とを予め定められたパターンにしたがって、互いに電気的に接続する。
【００２６】
ロアカバー３は、絶縁性の合成樹脂からなり、周知の射出成形により成形される。ロアカバー３は、複数の外壁３１により、筒状（箱状）に形成されている。ロアカバー３は、箱本体２の下面２ｂ側に取り付けられると、前述したワイヤハーネスのコネクタなどを覆う。
【００２７】
また、ロアカバー３の図１の手前側に位置する外壁３１の、箱本体２寄りの縁３４から離れた側には、ロアカバー３の外部から内部に連通した端子挿入口１５が設けられている。該端子挿入口１５には、後述する電線４に取り付けられた端子金具５が通される。さらに、端子挿入口１５が設けられた外壁３１の内側には、該外壁３１と連なった奥壁３ｃ（図３に示す）が形成されている。奥壁３ｃは、前述した箱本体２の奥壁２ｃと面一に形成されているとともに、箱本体２寄りの縁３４から端子挿入口１５に向かって延びている。なお、端子挿入口１５及び奥壁３ｃに関しては、後に詳しく説明する。
【００２８】
端子取付部９は、図３に示すように、箱本体２の奥壁２ｃに設けられるとともに、前述の配線盤に配されたバスバの一部１２ａと、位置決め部１４と、ボルト１０と、ナット１１などを備えている。
【００２９】
バスバの一部１２ａは、奥壁２ｃの外壁２１側に配されている。バスバの一部１２ａの外壁２１と相対した表面には、後述する端子金具５の電気接触部５１が重ねられる。即ち、バスバの一部１２ａは、端子取付部９の表面をなしている。
【００３０】
位置決め部１４は、箱本体２の上面２ａ側から延設されるとともに、端子金具５の先端部と当接する当接面１４ａと、端子金具５の両側面と当接する当接側面１４ｂ，１４ｂとを備えたコ字状に形成されている。位置決め部１４は、端子金具５を、端子取付部９の規定の位置に位置決めする。
【００３１】
そして、規定の位置に位置決めされた電気接触部５１をボルト１０で固定する。該ボルト１０と螺合するナット１１は奥壁２ｃ内に埋設されている。なお、ボルト１０を締め付ける際は、端子取付部９と相対する外壁２１に設けられ、かつ、外壁２１の内部から外部に貫通した治具挿入孔２２（図１ないし図３に示す）から治具（図示せず）を挿入して締め付けを行う。
【００３２】
端子金具５は、導電性の板金からなり、図２に示すように、平板状の電気接触部５１と、電気接触部に連なった電線接続部５２とを備えている。電気接触部５１には、前述したボルト１０のねじ部１０ａ（図３に示す）を通すことのできる切欠き５３が設けられている。電線接続部５２は、電線４をかしめるかしめ片５４などを備えている。電線接続部５２は、かしめ片５４で電線４をかしめて、該電線４の芯線と接続する。なお、電線４は、オルタネータなどの電源側と接続している。
【００３３】
端子金具５は、電線接続部５２に電線４がかしめられた状態で、電気接触部５１が端子取付部９の表面をなすバスバの一部１２ａに重ねられるとともに、位置決め部１４によって規定の位置に位置決めされる。そして、ボルト１０のねじ部１０ａが切欠き５３内を通ってナット１１に螺合することで端子取付部９に取り付けられる。
【００３４】
こうして、電源側と接続した電線４に取り付けられた端子金具５と、箱本体２の電気部品側と接続したバスバの一部１２ａとが電気的に接続し、電源から供給される電力がヒュージブルリンク８などの電気部品や、ワイヤハーネスの電線などを介して、ランプやモータなどの負荷側に供給される。
【００３５】
電気接続箱１は、さらに、前述した電線４に取り付けられた端子金具５を、電気接続箱１の外部から、前述した端子取付部９に案内する第１のガイド部２３と、第２のガイド部３３とを備えている。
【００３６】
第1のガイド部２３は、箱本体２に設けられているとともに、前述した端子取付部９が設けられた奥壁２ｃと、該奥壁２ｃと相対する外壁２１と、外壁２１の内表面から立設し、かつ奥壁２ｃと連なった一対の側壁２５，２５との４つの壁からなる角筒状に形成されている。一対の側壁２５，２５は、ロアカバー３寄りの縁２４から端子取付部９に亘って延びている。即ち、第１のガイド部２３は、外壁２１と一対の側壁２５，２５と奥壁２ｃとを含んだ角筒状の部分のうちロアカバー３寄りの縁２４から端子取付部９までをいう。第１のガイド部２３は、ロアカバー３寄りの縁２４から端子取付部９に亘って連通している。
【００３７】
第１のガイド部２３内を案内される端子金具５は、第１のガイド部２３の奥壁２ｃの表面上を端子取付部９に向かって摺動する。このような奥壁２ｃの端子金具５が摺動する表面は、端子金具５が重ねられる端子取付部９の表面と同面になるように形成されている。
【００３８】
また、一対の側壁２５，２５は、図４に示すように、互いの側壁２５，２５同士が平行に配された平行部２５ａと、ロアカバー３寄りの縁２４から端子取付部９に向かうにしたがって徐々に側壁２５，２５間の間隔が狭くなるように形成された傾斜部２５ｂとを備えている。なお、側壁２５，２５間の間隔を以下、第１のガイド部２３の幅Ｈ１という。第１のガイド部２３の幅Ｈ１は、端子金具５に取り付けられる電線４の長手方向に直交する方向の幅をいう。
【００３９】
第２のガイド部３３は、ロアカバー３に設けられているとともに、前述した奥壁３ｃと、該奥壁３ｃと相対する外壁３１と、外壁３１の内表面から立設し、かつ奥壁３ｃと連なった一対の側壁３５，３５との４つの壁からなる角筒状に形成されている。一対の側壁３５，３５は、箱本体２寄りの縁３４から箱本体２と離れる方向に延びている。即ち、第２のガイド部３３は、外壁３１と一対の側壁３５，３５と奥壁３ｃとを含んだ角筒状の部分のうち箱本体２寄りの縁３４から端子挿入口１５までをいう。第２のガイド部３３は、箱本体２寄りの縁３４から端子挿入口１５に亘って連通している。
【００４０】
端子挿入口１５から挿入されるとともに第２のガイド部３３内を案内される端子金具５は、第２のガイド部３３の奥壁３ｃの表面上を第１のガイド部２３に向かって摺動する。
【００４１】
また、一対の側壁３５，３５は、図４に示すように、互いの側壁３５，３５同士が平行に配された平行部３５ａと、端子挿入口１５から第１のガイド部２３に向かうにしたがって徐々に側壁３５，３５間の間隔が狭くなるように形成された傾斜部３５ｂとを備えている。なお、側壁３５，３５間の間隔を以下、第２のガイド部３３の幅Ｈ２という。第２のガイド部３３の幅Ｈ２は、端子金具５に取り付けられる電線４の長手方向に直交する方向の幅をいう。
【００４２】
上述した構成の第１のガイド部２３及び第２のガイド部３３は、第２のガイド部３３の４つの壁３１，３ｃ，３５，３５の縁３４側の端部が、第１のガイド部２３の４つの壁２１，２ｃ，２５，２５の縁２４側の端部とそれぞれ当接する。即ち、第２のガイド部３３は、第１のガイド部２３から連続して形成されている。そして、図４に示すように、第１のガイド部２３の幅Ｈ１は、第２のガイド部３３の幅Ｈ２よりも狭くなっている。
【００４３】
このような構成の第１のガイド部２３及び第２のガイド部３３内を案内される端子金具５は、電線接続部５２に電線４が取り付けられた状態で、ロアカバー３側に設けられた幅の広い端子挿入口１５から第２のガイド部３３内に挿入される。そして端子金具５は、図５（ａ）に示すように、第１のガイド部２３に向かうにしたがって幅Ｈ２の狭くなった側壁３５，３５に案内されながら第１のガイド部２３内に挿入され、さらに、端子取付部９に向かうにしたがって幅Ｈ１の狭くなった側壁２５，２５に案内されて、図５（ｂ）に示すように、端子取付部９に重ねられる。
【００４４】
前述した電気接続箱１は、以下のように組み立てられる。まず、箱本体２内にバスバ１２などが配索された配線盤が収容されて、箱本体２の上面２ａにリレー６やヒュージブルリンク８などの電気部品が装着される。そして、箱本体２の下面２ｂ側にワイヤハーネスのコネクタが嵌合されるとともに、ロアカバー３が取り付けられる。その後、端子挿入口１５から、電線接続部５２に電線４が取り付けられた状態の端子金具５が挿入されるとともに、第２のガイド部３３内、第１のガイド部２３内を通された端子金具５の電気接触部５１が端子取付部９に重ねられる。そして、ボルト１０により端子金具５が端子取付部９に固定されて、電気接続箱１が組み立てられる。
【００４５】
このような電気接続箱１は、自動車に搭載されて、電源などから供給される電力を、バスバ１２、ヒュージブルリンク８、ワイヤハーネスの電線などを介して自動車の電子機器に供給する。
【００４６】
本実施形態の電気接続箱１によれば、電源側と接続した電線４に取り付けられた端子金具５と、箱本体２内部に収容されたバスバ１２とが接続する端子取付部９が、箱本体２の外壁２１によって覆われているので、外部荷重や、粉塵、雨水などから端子取付部９を保護することができる。さらに、端子取付部９に連通した端子挿入口１５をロアカバー３に設けているので、ロアカバー３を箱本体２に取り付けた状態で端子金具５を電気接続箱１に接続することができる。よって、電気接続箱１の組立作業性を向上させることができる。
【００４７】
また、本実施形態の電気接続箱１によれば、ロアカバー３側に設けられた端子挿入口１５から箱本体２に設けられた端子取付部９に亘って第２のガイド部３３と第１のガイド部２３とが連続して形成されているので、端子金具５を端子取付部９に確実に案内することができる。よって、電気接続箱１の組立作業性を向上させることができる。
【００４８】
さらに、本実施形態の電気接続箱１によれば、第１のガイド部２３の幅Ｈ１が、第２のガイド部３３の幅Ｈ２よりも狭く形成されているので、端子金具５を容易に端子挿入口１５から挿入方向奥側の端子取付部９まで挿入することができる。よって電気接続箱１の組立作業性をさらに向上させることができる。
【００４９】
なお、前述した実施形態では、第１のガイド部２３の側壁２５に、端子取付部９に向かうにしたがって側壁２５，２５間の間隔が狭くなるように形成された傾斜部２５ｂが形成されるとともに、第２のガイド部３３の側壁３５に、第１のガイド部２３に向かうにしたがって側壁３５，３５間の間隔が狭くなるように形成された傾斜部３５ｂが形成されていたが、本発明の電気接続箱では、第１のガイド部及び第２のガイド部のうち少なくとも一方に傾斜部が形成されていれば良い。
【００５０】
さらに、前述した実施形態では、第１のガイド部２３の一対の側壁２５，２５に、互いに平行になるように配された平行部２５ａが形成されるとともに、第２のガイド部３３の一対の側壁３５，３５に、互いに平行になるように配された平行部３５ａが形成されていたが、本発明の電気接続箱では、必ずしも上記平行部２５ａ，３５ａを形成しなくても良く、側壁２５，３５の全域が傾斜して形成されていても良い。
【００５１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】本発明の一実施形態に係る電気接続箱の斜視図である。
【図２】図１に示された電気接続箱の分解斜視図である。
【図３】図１に示された電気接続箱のＡ−Ａ線に沿う断面図である。
【図４】図１に示された電気接続箱のＢ−Ｂ線に沿う断面図である。
【図５】図５（ａ）は、端子金具が第２のガイド部内を案内される様子を示す説明図であり、図５（ｂ）は、端子金具が端子取付部に重ねられる様子を示す説明図である。
【図６】従来の電気接続箱を示す断面図である。
【図７】従来の電気接続箱を示す断面図である。
【符号の説明】
【００５３】
１  電気接続箱
２  箱本体
２ａ  上面（表面）
３  ロアカバー（カバー部材）
５  端子金具
６  リレー（電気部品）
７  ヒューズ（電気部品）
８  ヒュージブルリンク（電気部品）
６ａ，７ａ，８ａ  装着部
９  端子取付部
２１  外壁
２３  第１のガイド部
２４  縁
２５ｂ  傾斜部
３３  第２のガイド部
３４  縁
３５ｂ  傾斜部
Ｈ１  第１のガイド部の幅
Ｈ２  第２のガイド部の幅
【図１】
2006320132.tif 000003
【図２】
2006320132.tif 000004
【図３】
2006320132.tif 000005
【図４】
2006320132.tif 000006
【図５】
2006320132.tif 000007
【図６】
2006320132.tif 000008
【図７】
2006320132.tif 000009